(57)【特許請求の範囲】
【請求項１】
上弦材と下弦材が同一平面内になく捩れた位置関係にある複層トラス架構であって、その複層トラス架構の隣接する２つの節点部間を繋ぐトラス一構面の範囲において、上弦材節点部と下弦材節点部とを結ぶラチス材と、当該ラチス材の両端部にそれぞれ接合された上弦材または下弦材と束材の３本の部材軸で決定される２つの三角形平面に対して、前記ラチス材の部材軸を相貫線として前記トラス一構面と交差する別の平面を想定し、当該平面と、前記複層トラス架構の上弦材もしくは下弦材の節点部に前記ラチス材を接合するためのガセットプレートの面とを合わせ、かつ当該ガセットプレートと前記束材とを接合するリブプレート、または当該ガセットプレートと前記上弦材もしくは前記下弦材とを接合するリブプレートが設けられていることを特徴とする複層トラスのラチス材接合構造。
【請求項２】
上弦材と下弦材が同一平面内になく捩れた位置関係にある複層トラス架構であって、その複層トラス架構の隣接する２つの節点部間を繋ぐトラス一構面の範囲において、上弦材節点部と下弦材節点部とを結ぶラチス材と、当該ラチス材の両端部にそれぞれ接合された上弦材または下弦材と束材の３本の部材軸で決定される２つの三角形平面に対して、前記ラチス材の部材軸を相貫線として前記トラス一構面に交差する別の平面を想定し、当該平面と、前記複層トラス架構の上弦材もしくは下弦材の節点部に前記ラチス材を接合するためのガセットプレートの面とを合わせ、かつ前記上弦材もしくは下弦材の節点部に上弦材節点部材もしくは下弦材節点部材が取り付けられ、当該上弦材節点部材もしくは下弦材節点部材に前記上弦材または下弦材の両端部が接合されていると共に、前記ラチス材を接合するためのガセットプレートと前記上弦材節点部材もしくは下弦材節点部材とを接合するリブプレートが設けられていることを特徴とする複層トラスのラチス材接合構造。
【請求項３】
請求項１または２記載の複層トラスのラチス材接合構造において、複層トラス架構の隣接する２節点部間を繋ぐトラス一構面内に設置された上弦材節点部と下弦材節点部とを結ぶラチス材の部材軸を相貫線として、前記トラス一構面に交差する平面を２つ想定し、それぞれの平面と、前記複層トラス架構の上弦材もしくは下弦材の節点部に前記ラチス材を接合するためのガセットプレートの面とを合わせたことを特徴とする複層トラスのラチス材接合構造。
【発明の詳細な説明】
【技術分野】
【０００１】
本発明は、主としてドーム屋根などの曲面を有する屋根に用いられる複層トラス架構のラチス材接合構造に関し、上弦材と下弦材が捩れた位置関係にある複層トラス架構のラチス材であっても、ラチス材の両端部を上弦材と下弦材に無理なく容易に接合できるようにしたものである。
【背景技術】
【０００２】
図1(a)は、ドーム屋根などの曲面を有する屋根に用いられる複層立体トラス架構の一例を図示したものであり、上弦材１と下弦材２、当該上弦材１と下弦材２との間に設置された複数のラチス材(斜材)３および束材４とから構成されている。
【０００３】
これらのトラス構成部材は、Ｈ形鋼や山形鋼、溝形鋼などの形鋼、或いは円形鋼管より形成され、ガセットプレート等の接合プレートを介して互いに接合されてトラス梁を構成し、さらに複数のトラス梁が各節点部で互いに交差し、かつ互いに接合されることにより複層立体トラスを構成している。なお、図示する複層立体トラス架構の各トラス構成部材はＨ形鋼より形成されている。
【０００４】
ところで、上記した複層立体トラス架構において、各トラス梁の上弦材１と下弦材２が同一平面内に設置されている場合は、ラチス材３も上弦材１や下弦材２と同じ平面内に設置されるため、これらの両端部は上弦材１と下弦材２にガセットプレートを介して無理なく容易に接合することができる。
【０００５】
しかし、ドーム屋根などの曲面を有する屋根に用いられる複層トラス架構の場合、図2(a)に図示するように屋根面の形状によってはトラス梁がその軸芯X-X軸回りにθだけ捩じられて架設されることがある。この場合、上弦材１と下弦材２は相互に捩じられた位置関係に設置され、さらに上弦材１と下弦材２もそれぞれ材軸回りに捩じられた状態に架設される。
【０００６】
なお、図2(a),(b)は、複層トラス梁の一構面のトラスWを図示したものであり、上弦材１および下弦材２の隣接する２節点部間に設置された上弦材１と下弦材２、および当該上弦材１と下弦材２間に設置された複数のラチス材３と束材４とによって構成されている。
【０００７】
このような捩じられた位置関係にある上弦材１と下弦材２間に複数のラチス材３を設置するには、図3(a),(b)に図示するように、ラチス材３をトラス構面に沿って湾曲させる必要があるが(太い破線で図示)、直線材であるべきラチス材３を曲げることはできないため、上弦材１と下弦材２に取り付けられたラチス材接合用のガセットプレート５を、ラチス材３の端部(フランジまたはウェブの端部)と双方が面で接合するようにラチス材３の軸方向に曲げる必要がある。
【０００８】
しかし、一般にガセットプレート５は、ラチス材３の取付け位置によって形状や大きさ、さらには取付け角度が異なるため、ガセットプレート５をラチス材３の位置ごとに一枚一枚形成する必要があり、そのために非常に多くの手間とコストがかかり、また、材軸回りに捩じられた上弦材１と下弦材２のフランジ面またはウェブ面に精度よく取り付けることは現実問題としてきわめて困難であった。
【０００９】
このため、従来、ドーム屋根などの曲面を有する屋根を複層立体トラスによって構築する場合は、特にトラスが捩じられて設置される位置でラチス材の端部を上弦材および下弦材にガセットプレートを介して接合するには、図3(c)に図示するような複雑で手間のかかるガセットプレート５の曲げ加工が必要になる等の課題があった。
【００１０】
なお、ラチス材と束材が無く、弦材のみで構成される図1(b)に図示するような単層トラス架構であれば、トラスの弦材（Ｈ形鋼）を軸芯回りに捩じることにより、弦材端部のフランジ面またはウェブ面と節点部材を構成する接合プレートの面との目違いを解消することが可能なので、接合部の問題は比較的容易に解決することができ、実用化もされている。
【００１１】
また、複層トラス架構の各トラス構成部材どうしを接合する接合部の構造に関する先行技術としては、特許文献１にその一例が開示されている。特許文献１においては、上弦材と下弦材およびラチス材（斜材）はそれぞれ個別に捩じられた後に接合されている。
【００１２】
上弦材と下弦材は、単層トラスの要領でそれぞれの軸芯回りに捩じられることにより、各節点におけるガセットプレートとの目違いが解消されている(特許文献１[0014]〜[0020])。
【００１３】
一方、ラチス材は、その軸芯回りに捩じって上弦材と下弦材の軸芯に合わせてもよいが、ラチス材を円形鋼管より形成し、上弦材と下弦材にはガセットプレートを介して接合することにより、ラチス材の両端部に取り付けられる端部接合プレート面を、上弦材と下弦材に取り付けられたガセットプレートのそれぞれの面に合わせることができるので、ラチス材自身を捩じる必要がない。
【先行技術文献】
【特許文献】
【００１４】
【特許文献１】特許第３４１８６５９号特許公報
【発明の概要】
【発明が解決しようとする課題】
【００１５】
しかし、特許文献１に開示された先行技術は、図2,3に図示するように、上弦材と下弦材の中間部にラチス材を設置し、当該ラチス材の端部を上弦材および下弦材の捩じれ区間の側部にガセットプレートを介し、溶接によって接合することを想定している点に課題を残している。
【００１６】
すなわち、捩じられる前の上弦材と下弦材の側部にガセットプレートを溶接し、その後、上弦材と下弦材が捩じられると、ガセットプレートの取付き角度が狂う恐れがあり、取付き角度の精度確保が困難になる。
【００１７】
一方、捩じられた後の上弦材と下弦材の側部にガセットプレートを溶接すると、上弦材と下弦材が溶接熱によって歪み、捩り角度の精度に悪影響を及ぼすだけでなく、捩じれたフランジ面もしくはウェブ面に対してガセットプレートの位置及び取り付き角度の精度を確保するのが困難になる。
【００１８】
このため、上弦材と下弦材の捩じり区間にラチス材を取り付けるためのガセットプレートを溶接する方法は、実際の製作においては困難を伴うという問題があった。
【００１９】
なお、上弦材と下弦材にガセットプレートを接合ボルトにて取り付ける場合でも、上弦材および下弦材のフランジ面およびウェブ面が捩じられているため、そのガセットプレート面の取付き角度を確保することが困難であることに変わりはない。
【００２０】
このように、特許文献１の先行技術には、上弦材と下弦材が相互に捩じられた位置関係にある場合のラチス材の取付け構造に関する課題があり、この課題を解決するための具体的な記述や示唆はなく、残された課題となっていた。
【００２１】
さらにまた、上記何れの場合であっても、１本のラチス材の両端部に接合される２枚のガセットプレートは、ラチス材の軸方向に合わせて曲げる等の加工も必要であり、課題になっていた。
【００２２】
本発明は、以上の課題を解決するためになされたもので、上弦材と下弦材が相互に捩じられた位置関係にある複層トラスのラチス材を、上弦材と下弦材に無理なく容易に接合できるようにした複層トラス架構のラチス材接合構造を提供することを目的とするものである。
【課題を解決するための手段】
【００２３】
請求項１記載の発明は、上弦材と下弦材が同一平面内になく捩れた位置関係にある複層トラス架構であって、その複層トラス架構の隣接する２つの節点部間を繋ぐトラス一構面の範囲において、上弦材節点部と下弦材節点部とを結ぶラチス材と、当該ラチス材の両端部にそれぞれ接合された上弦材または下弦材と束材の３本の部材軸で決定される２つの三角形平面に対して、前記ラチス材の部材軸を相貫線として前記トラス一構面と交差する別の平面を想定し、当該平面と、前記複層トラス架構の上弦材もしくは下弦材の節点部に前記ラチス材を接合するためのガセットプレートの面とを合わせ、かつ当該ガセットプレートと前記束材とを接合するリブプレート、または当該ガセットプレートと前記上弦材もしくは前記下弦材とを接合するリブプレートが設けられていることを特徴とするものである。
【００２４】
また、請求項２記載の発明は、上弦材と下弦材が同一平面内になく捩れた位置関係にある複層トラス架構であって、その複層トラス架構の隣接する２つの節点部間を繋ぐトラス一構面の範囲において、上弦材節点部と下弦材節点部とを結ぶラチス材と、当該ラチス材の両端部にそれぞれ接合された上弦材または下弦材と束材の３本の部材軸で決定される２つの三角形平面に対して、前記ラチス材の部材軸を相貫線として前記トラス一構面に交差する別の平面を想定し、当該平面と、前記複層トラス架構の上弦材もしくは下弦材の節点部に前記ラチス材を接合するためのガセットプレートの面とを合わせ、かつ前記上弦材もしくは下弦材の節点部に上弦材節点部材もしくは下弦材節点部材が取り付けられ、当該上弦材節点部材もしくは下弦材節点部材に前記上弦材または下弦材の両端部が接合されていると共に、前記ラチス材を接合するためのガセットプレートと前記上弦材節点部材もしくは下弦材節点部材とを接合するリブプレートが設けられていることを特徴とするものである。
【００２５】
そして、請求項３記載の発明は、請求項１または２記載の複層トラスのラチス材接合構造において、複層トラス架構の隣接する２節点部間を繋ぐトラス一構面内に設置された上弦材節点部と下弦材節点部とを結ぶラチス材の部材軸を相貫線として、前記トラス一構面に交差する平面を２つ想定し、それぞれの平面と、前記複層トラス架構の上弦材もしくは下弦材の節点部に前記ラチス材を接合するためのガセットプレートの面とを合わせたことを特徴とするものである。
【００２６】
上弦材、下弦材、ラチス材および束材の各トラス構成部材にはＨ形鋼、溝形鋼、山形鋼などの形鋼を使用することができ、また、ラチス材には円形鋼管なども使用することができる。
【００２７】
次に、本発明を図４〜図６を参照してより具体的に説明する。解決すべき課題の１つは、捩じり加工された上弦材と下弦材の中間部にラチス材の端部を接合する場合のガセットプレートの精度確保の問題である。
【００２８】
この問題は、図4(a)に図示するように、隣接する２節点部間を繋ぐトラス一構面の範囲Ｗのラチス材３は１本とし、そのラチス材３の両端部をそれぞれ上弦材節点部J1と隣接節点の下弦材節点部J2に接合することで解決することができる。すなわち、ラチス材３の両端部を上弦材１と下弦材２の中間部に接合しないことで解決することができる。
【００２９】
次に、解決すべき第２の課題の解決法について説明する。上弦材１と下弦材２とが相対的に捩じられた位置関係にある場合、図4(a)におけるニ−ニ線断面視を示す図4(b)に図示するように、上弦材１と下弦材２は、部材断面(Ｈ形鋼のウェブ面）の方向が一致していないため、ラチス材３(図４では溝形鋼)の軸芯方向にガセットプレート5,5の方向を合わせるには、上弦材1と下弦材２のウェブ面の方向に対して、ガセットプレート5,5を折り曲げ、かつラチス材３をその軸芯回りに捩じる必要がある。
【００３０】
さらに、これらのガセットプレート5,5を共有している束材4,4の接合面は、上弦材１と下弦材２の節点部におけるウェブ面の延長上に取付いていて、ガセットプレート5,5は前記束材4,4の端部接合面に拘束されているため、ガセットプレート5,5はラチス材３の軸芯方向に合わせて捩り加工するか、さもなければ２度曲げをして、ラチス材３の端部接合面(溝形鋼のウェブ面)とガセットプレート5,5の面とを合わせる必要がある。
【００３１】
この問題は、図5,6に図示する概念図のように各部材を配置することで解決することができる。すなわち、上弦材１と下弦材２が同一平面内になく捩れた位置関係にある複層トラスのトラス一構面内において（図5(a)の点線の四角形は、捩じられる前の状態を示す）、上弦材節点部Ａと下弦材節点部Ｃとを結ぶ１本のラチス材３と、当該ラチス材３の両端部にそれぞれ接合された上弦材１または下弦材２と束材４の３本の部材軸で決定される２つの三角形平面ＡＣＢまたはＡＣＤに対して、前記１本のラチス材３の部材軸ＡＣを相貫線として交差する別の平面Ｆを想定する。
【００３２】
そして、その平面Ｆと前記ラチス材３の少なくとも一方の端部接合面もしくは端部接合プレート面（以下、端部接合面と略す）ｆが前記複層トラスの上弦材節点部Ａもしくは下弦材節点部Ｃに接合するガセットプレート55の面とを一致させ、そのガセットプレート55と束材４（図5(a)〜(c)参照）、もしくはガセットプレート55と上弦材１、またはガセットプレート55と下弦材２とを接合するリブプレート６を設ける（図6(a)参照）。
【００３３】
この場合、図5(a)に図示する三角形ＡＣＢと三角形ＡＣＤは同一平面内にはないが、直線ＡＣを共有しており、前記ラチス材３の両端部のリブプレート6,6の面はそれぞれの三角形ＡＣＢと三角形ＡＣＤの面内に含まれる。また、ガセットプレート55,55とリブプレート6,6は必ずしも直交しない。
【００３４】
また、上弦材１と下弦材２が上弦材節点部J1と下弦材節点部J2に多方向から複数集まる複層立体トラス架構の場合などは、図6(b)に図示するように、上弦材節点部JIと下弦材節点部J2の束材４の上下端部に、上弦材節点部材K1と下弦材節点部材K2をそれぞれ取り付け、これらの節点部材に前記複数の上弦材１と下弦材２の両端部を接合ボルト等によって接合する。
【００３５】
この場合、図6(a)に図示するリブプレート6,6は、図6(b)に図示するように、それぞれに対応するガセットプレート55,55と上弦材節点部材K1もしくは下弦材節点部材K2とを接合することになる。
【００３６】
以上説明したように、ラチス材３の両端部の端部接合面f,fの面が平面Ｆの面内にあるので、ラチス材３を捩じることなく、ガセットプレート55,55に接合することが可能になり、前記第２の課題であったガセットプレート5,5の捩りや２度曲げといったガセットプレートの加工は不要となる。
【００３７】
図5(a)における平面Ｆは、直線ＡＣを含む１つの平面の場合であり、ラチス材３に溝形鋼等の平面で形成される断面部材を想定しているが、ラチス材に円形鋼管を用いる場合には、平面Ｆは必ずしも１つの平面である必要はない。
【００３８】
すなわち、図6(c)に図示するように平面Ｆが交差角度φを成す２つの平面に分割されていても、ラチス材３が円形鋼管であれば、ラチス材の部材断面が円形なので、ガセットプレート55,55および端部接合面f,fの面をそれぞれの平面Ｆに合わせて回転させて、ラチス材３の両端部に接合することができる(請求項３に記載の発明)。
【００３９】
本発明は、以上のような構成によるものであるため、上弦材と下弦材が同一平面内になく捩れた位置関係にある複層トラス架構において、捩じり加工された上弦材と下弦材の中間部へのラチス材の接合を回避すると同時に、ラチス材を捩じることも、従来のガセットプレートのようにラチス材の軸方向に合わせて捩じる或いは曲げる必要もない。
【００４０】
よって、ラチス材の両端部を上弦材と下弦材の節点部に接合することに無理がなく、容易に製作できるラチス材接合構造を提供することができる。
【００４１】
なお、本発明は、ラチス材と上弦材および下弦材の中間部との接合がないので、上弦材と下弦材が捩れていなくても適用可能であることは勿論である。
【発明の効果】
【００４２】
以上のように本発明は、上弦材と下弦材とが捩れた位置関係にある複層トラス架構のラチス材であっても、その両端部を容易に上弦材と下弦材の各節点部に接合できるので、次のような効果が得られる。
【００４３】
(1)複層トラスの上下弦節点に設けられたラチス材接合用のガセットプレートの面を、１本のラチス材の軸を相貫線としてトラス構面に交差する一平面に合わせるので、捩じることなくラチス材の両端を接合することができ、かつ、従来のようにガセットプレートの面の方向をラチス材の軸に合わせて捩じったり曲げたりする必要がない。
【００４４】
(2)上記ラチス材両端に接合するガセットプレートが同一平面内に形成されない場合は、ラチス材を円形鋼管として、そのラチス材両端の端部接合プレート面をそれぞれに相対する前記ガセットプレートの角度に合わせれば、ラチス材を問題なく容易に取り付けることができる。
【００４５】
(3)特許文献１記載の先行技術において残されていた課題が解消され、一様でない曲面を形成する複層立体トラスの接合部であっても、製作が容易になり、コストダウンに大きく貢献できる。
【図面の簡単な説明】
【００４６】
【図１】図1(a)は複層立体トラス架構の一例の一部斜視図、図1(b)は単層立体トラス架構の一例の一部斜視図である。
【図２】従来のトラス梁の１例であり、図2(a)は側面図、図2(b)は図2(a)におけるイ−イ線断面視である。
【図３】図２に図示するトラス梁をＸ−Ｘ軸回りにθ回転させた状態を図示したものであり、図3(a)は図2(a)におけるロ−ロ線断面視（軸芯のみ表示）、図3(b)は図2(a)におけるハ−ハ線断面視（軸芯のみ表示）、図3(c)は図2(a)におけるラチス材軸芯（太い破線）を直線表示したものである。
【図４】本発明を説明するためのトラス梁の１例を図示したものであり、図4(a)は側面図、図4(b)は図4(a)におけるニ−ニ線断面視である。
【図５】図４に図示したトラス梁に本発明のラチス材接合構造を適用した場合の概念を説明する図であり、図5(a)は側面図、図5(b)は図5(a)におけるニ−ニ線断面視、図5(c)は図5(a)におけるホ−ホ線断面視である。
【図６】図４に図示したトラス梁に本発明のラチス材接合構造を適用した場合の概念を説明する図であり、図6(a)は図5(a)においてリブプレートの位置を変えた場合の側面図、図6(b)は束材の上下端に弦材節点部材を取り付けた場合の側面図、図6(c)は平面Ｆが２面に分割された場合の説明図である。
【図７】本発明の第１実施形態を説明する図であり、図7(a)は側面図、図7(b)は図7(a)におけるヘ−ヘ線断面視、図7(c)はト−ト線断面視、図7(d)はチ−チ線断面視である。
【図８】本発明の第２実施形態を説明する図であり、図8(a)は側面図、図8(b)は図8(a)におけるヘーヘ断面視である。
【図９】本発明の第３実施形態を説明する図であり、図9(a)は側面図、図9(b)は図9(a)におけるヘ−ヘ線断面視、図9(c)はト−ト線断面視、図9(d)はチ−チ線断面視である。
【発明を実施するための形態】
【００４７】
図７(a)〜(d)は、本発明の一実施形態であり、複層立体トラス架構の上弦材節点部を図示したものである。図において、Ｈ形鋼からなる複数の上弦材1,1aの各端部と溝形鋼からなるラチス材３および束材４の各上端部は、上弦材節点部J1において上弦材節点部材K1とガセットプレート55とガセットプレート７を介して互いに接合されている。
【００４８】
上弦材１は、図面上、上弦材節点部材K1の両側に相対して設置され、上弦材1aは、上弦材節点部材K1を介して上弦材１の軸芯と斜めに交差して設置されている。
【００４９】
上弦材節点部材K1は、各上弦材１および上弦材1aの上下フランジと同じレベルに配置された上下水平フランジと、当該上下水平フランジ間の上弦材１および1aのウェブを含む鉛直面内に配置された複数のウェブとから一体に形成されている。
【００５０】
また、上弦材節点部材K1の各上弦材1,1aの端部と対向する位置に継手11が設けられ、当該継手11に各上弦材1,1aの上下フランジおよびウェブの端部がそれぞれ複数の接合プレートと接合ボルトによって接合されている。
【００５１】
ラチス材３と束材４は、２本の溝形鋼を背中合わせに添い合わせることにより断面Ｈ形状に形成され、そのうちラチス材３の上端部は上弦材節点部材K1の下フランジにガセットプレート55を介して接合され、束材４の上端部はガセットプレート７を介して接合されている。
【００５２】
ガセットプレート55は上弦材節点部材K1の下フランジに取り付けられ、また、ラチス材３の軸芯を含むトラス構面の面外方向の一平面と平行に取り付けられている。
【００５３】
ガセットプレート７は、上弦材１と1aとの軸芯交点を含む鉛直面内に設置され、かつ上弦材節点部材K1の下フランジに溶接によって取り付けられている。
【００５４】
リブプレート６は、ラチス材３と束材４の軸芯を含む鉛直面内に設置され、かつ上弦材節点部材K1の下フランジとガセットプレート55およびガセットプレート７に溶接によって取り付けられている。
【００５５】
なお、図示するように、上弦材節点部材K1に接合された束材４の軸芯とラチス材３の軸芯との交点Ｐが上弦材1および1aの軸芯上にあり、束材４のガセットプレート７に接合するリブプレート６が、ラチス材３を接合するガセットプレート55を補強している。
【００５６】
また、ラチス材３が２方向から上弦材節点部J1に集まる場合は、図7(b)に図示するようにガセットプレート55を広げ、各ラチス材３の軸芯を含む鉛直面内にリブプレート６がそれぞれ取り付けられている。なお、リブプレート６とガセットプレート55との交差角度は直角である必要はない。
【００５７】
また、ラチス材３の上弦材側及び下弦材側（図示せず）のガセットプレート55が同一平面内にあれば、ラチス材３を捩じることなくその両端部を上弦材節点部J1の上弦材節点部材K1と下弦材節点部J2の下弦材節点部材K2(図省略)に接合することができる。よって、従来のように、ガセットプレート55を曲げる等の必要はない。
【００５８】
なお、図7(a)〜(d)に図示する実施形態においては、束材４の軸芯とラチス材３の軸芯との交点Ｐが上弦材1,1aの軸芯上にあり、かつラチス材３と上弦材1,1aの成す角度が浅いので、ガセットプレート55と上弦材１,1aの延長上にある上弦材節点部材K1の下フランジ面との接触位置が、交点Ｐからかなり離れた位置になるため、前記下フランジを補強するためにスチフナー８が取り付けられている。
【００５９】
また、図7(a)に図示するように、リブプレート６が水平方向に長くなるため、その上辺の一部は上弦材節点部材K1の下フランジに溶接され、ラチス材３の軸力の水平成分の一部を上弦材1,1aに伝達する役目を果たしている。
【００６０】
図8(a),(b)は、本発明の他の実施形態であり、複層立体トラス架構の上弦材節点部を図示したものである。図において、構成は、基本的に図7(a)〜(d)で説明した実施形態とほぼ同一であるが、ラチス材３の軸芯と束材４の軸芯との交点Ｐが上弦材節点部材K1の下フランジの下面に位置するようにラチス材３と束材４が設置され、これにより図7(a)〜(d)で説明した実施形態では長く形成されているリブプレート６は短く形成することができ、またスチフナー８を省略できるという利点がある。
【００６１】
なお、図8(a)に図示するように、リブプレート６は水平方向に短いことから、その上辺は上弦材節点部材K1の下面に取り付けられないため、そのままではラチス材３の軸力の水平成分を上弦材1,1aに伝達する役目は、ガセットプレート55のみが有する。
【００６２】
それを補強するため、ガセットプレート55と上弦材節点部材K1との間に追加のリブプレート6aを取り付けてもよい。リブプレート6aは、必ずしもリブプレート６と同一平面にある必要はない。
【００６３】
図9(a)〜(d)は、同じく本発明の他の実施形態であり、複層立体トラス架構の上弦材節点部を図示したものである。図9(a),(b)に図示する実施形態において、ラチス材３と束材４が円形鋼管より形成されている。
【００６４】
また、ガセットプレート55の両側にリブプレート10,10が対称にかつガセットプレート55と直交させて取り付けられている。
【００６５】
上弦材１側のリブプレート10は、上弦材節点部材K1の下フランジおよびガセットプレート55に溶接することにより取り付けられている。
【００６６】
また、ラチス材３と束材４の上端部には端部接合プレート９が取り付けられている。端部接合プレート９は断面十字形状に形成され、かつガセットプレート55およびリブプレート10と同じ平面内に形成されている。
【００６７】
そして、ラチス材３端部の端部接合プレート９は、ガセットプレート55およびリブプレート10に接合プレートと接合ボルトによってボルト締結されている。また、束材４端部の端部接合プレート９はガセットプレート７およびリブプレート６に接合プレートと接合ボルトによってボルト締結されている。
【００６８】
なお、ガセットプレート55の上面に設けたリブプレート10の上辺は、上弦材節点部材k1の下面に取り付けられており、ラチス材３の軸力の水平成分の一部を上弦材１に直接伝達する役目を果たす。
【００６９】
ラチス材３に円形鋼管を用いると、Ｌ形鋼や溝型鋼よりも座屈耐力が高いので、節点間寸法が長い大網目の立体複層トラスに好適である。
【００７０】
また、円形鋼管からなるラチス材の場合は、ラチス材３の両端部に相対するガセットプレート55,55が同一平面内になくても（図6(c)参照）、端部接合プレート9,9の面を、それぞれ相対するガセットプレート55,55の角度に合わせて、ラチス材３の両端部に取り付けることも可能になる利点がある。
【産業上の利用可能性】
【００７１】
本発明は、主としてドーム屋根などの曲面を有する屋根に用いられる複層トラス架構において、複層トラス架構を構成するラチス材の両端部を上弦材と下弦材に無理なく容易に接合することができる。
【符号の説明】
【００７２】
1,1a：上弦材
2,2a：下弦材
3,3a：ラチス材
４：束材
5,7,55：ガセットプレート
6,6a：リブプレート
８：スチフナー
９：端部接合プレート
10：リブプレート
11：継手
A,B,C,D：節点
Ｆ：平面
ｆ：端部接合面、端部接合プレート面
J1：上弦材節点部
j2：下弦材節点部
K1：上弦材節点部材
K2：下弦材節点部材
Ｗ：トラス一構面の範囲
θ：トラスの捩じり角度
φ：２つの平面Ｆの交差角度
【図１】
0006450707.tif 000002
【図２】
0006450707.tif 000003
【図３】
0006450707.tif 000004
【図４】
0006450707.tif 000005
【図５】
0006450707.tif 000006
【図６】
0006450707.tif 000007
【図７】
0006450707.tif 000008
【図８】
0006450707.tif 000009
【図９】
0006450707.tif 000010